(57)【要約】      （修正有）【課題】帯電消散のためのシステム。【解決手段】帯電消散システム１０は、導電性物品１２に接続するように構成される静電放電アセンブリ１４を含み、静電放電アセンブリ１４は、導体１６、導体１６及び導電性物品１２の間に置かれる絶縁体１８、並びに導体及び導電性物品１２に電気的に接続される表示器２０を含み、表示器２０は、帯電の放電を表示するように構成される。表示器２０は、人の上に生じる帯電の静電ポテンシャルに対する抵抗を提供するように構成される。表示器２０は、帯電の放電からの電流の大きさを限定して、その継続を延長し、それゆえ、帯電した人によって受け取られる任意の痛い又は不快な感覚（例えば、ショック）は、低減されるか又は消去される。【選択図】図２
2015028938.tif 000002
【特許請求の範囲】
【請求項１】
帯電の消散のためのシステムであって、
導電性物品に接続されるように構成される静電放電アセンブリを備え、前記静電放電アセンブリは、
導体と、
前記導体及び前記導電性物品の間に置かれる絶縁体と、
前記導体及び前記導電性物品に電気的に接続される表示器とを備える、システム。
【請求項２】
前記導体及び前記絶縁体は、層を成すアセンブリを形成する、請求項１に記載のシステム。
【請求項３】
前記導体を覆うように置かれるプロテクターを備え、前記プロテクターは、前記導体の少なくとも一部分を晒すように構成される窓を備える、請求項１に記載のシステム。
【請求項４】
前記表示器は、帯電の放電を視覚的に表示するように構成される、請求項１に記載のシステム。
【請求項５】
前記表示器は、表示灯を備える、請求項１に記載のシステム。
【請求項６】
前記表示灯は、静電気電球及びネオン電球のうちの少なくとも１つを備える、請求項５に記載のシステム。
【請求項７】
前記表示器は、
前記表示灯に電気的に接続される第１の端部、及び前記導体に電気的に接続される第２の端部を備える、第１のターミナルと、
前記表示灯に電気的に接続される第１の端部、及び前記導電性物品に電気的に接続される第２の端部を備える、第２のターミナルとを備える、請求項５に記載のシステム。
【請求項８】
前記導体は、第１の主要面及び第２の主要面を備える導電性基板を備え、前記導電性基板の前記第１の主要面の少なくとも一部分は、人間の体の一部分によって接触されるように構成される導体表面を画定し、
前記絶縁体は、前記導電性基板の前記第２の主要面に接続される第１の主要面、及び前記導電性物品に接続される第２の主要面を備える、絶縁基板を備える、請求項１に記載のシステム。
【請求項９】
前記表示器は、
表示灯と、
前記表示灯に電気的に接続される第１の端部、及び前記導電性基板の前記第１の主要面に電気的に接触する第２の端部を備える、第１のターミナルと、
前記表示灯に電気的に接続される第１の端部、及び前記導電性物品に電気的に接触する第２の端部を備える、第２のターミナルとを備える、請求項８に記載のシステム。
【請求項１０】
前記第２のターミナルの前記第２の端部は、前記絶縁基板の前記第２の主要面、及び前記導電性物品の表面の間に配置される、請求項９に記載のシステム。
【請求項１１】
前記導電性基板、前記絶縁基板、及び前記表示器のオーバートップに置かれる保護用の基板をさらに備え、前記保護用の基板は、前記導電性物品に接続され、導体表面の少なくとも一部分を晒すように構成される窓を備える、請求項９に記載のシステム。
【請求項１２】
前記導体は、金属製のフォイルテープを備える、請求項１に記載のシステム。
【請求項１３】
前記絶縁体は、絶縁テープを備える、請求項１に記載のシステム。
【請求項１４】
帯電の消散のための方法であって、
導電性物品を提供することと、
導体、前記導体及び前記導電性物品の間に置かれる絶縁体、並びに前記導体及び前記導電性物品に電気的に接続される表示器を備える静電放電アセンブリを提供することと、
前記静電放電アセンブリを前記導電性物品に設置することと、
帯電が生じている人間の体を前記静電放電アセンブリに接近させることと、
前記帯電を放電させることと、
前記表示器の目視観測によって、前記帯電の放電を確認することとを含む、方法。
【発明の詳細な説明】
【背景技術】
【０００１】
特定の条件のもとで、人間の体にかなりの量の帯電が生じる。例えば導電性の物体に触れることによる、帯電の急速な放電は、不快な突然の静電気ショックをもたらす。空気の乾いた状態は、環境制御された領域において見られる状態などのように、帯電の蓄積を増加させる。
【０００２】
ユーザの手首に装着される静電気防止用ストラップ、又は床に置かれる静電気防止用マットなどの静電放電装置は、帯電の集積を低減させるか又は消去する。しかしながら、そのような装置は、常に実用的であるわけではない。例えば、静電気防止用ストラップは、人が相当に動き回らなければならない状況においては不便であり、静電気防止用マットは、回転する作業台の動きを妨げる。
【０００３】
したがって、当業者は、帯電消散の分野において研究開発の努力を続けている。
【発明の概要】
【０００４】
一実施形態において、開示される帯電消散システムは、導電性物品に接続するように構成される静電放電アセンブリを含み、静電放電アセンブリは、導体、導体及び導電性物品の間に置かれる絶縁体、並びに導体及び導電性物品に電気的に接続される表示器を含み、表示器は、人間の体からの帯電の放電を視覚的に表示するように構成される。
【０００５】
別の実施形態において、開示される帯電消散システムは、導電性物品及び導電性物品に接続される静電放電アセンブリを含み、静電放電アセンブリは、電気的な導体材料を含む導体、電気的な絶縁材料を含む絶縁体を含み、絶縁体は導体及び導電性物品の間に置かれ、導体及び導電性物品の間に電気的に接続される表示器を含み、ここにおいて、導体の非常に近くに運ばれる帯電は、帯電が表示器を通じて放電される原因となり、表示器は、帯電の放電を視覚的に表示するように構成される。
【０００６】
さらに別の実施形態において、帯電の消散のための方法が開示され、方法は、（１）導電性物品を提供するステップ、（２）導体、導体及び導電性物品の間に置かれる絶縁体、並びに導体及び導電性物品に電気的に接続される表示器を含む静電放電アセンブリを提供するステップ、（３）静電放電アセンブリを導電性物品に設置するステップ、（４）生じている帯電を有する人間の体を静電放電アセンブリに接近させるステップ、（５）帯電を放電させるステップ、（６）表示器の目視観測によって帯電の放電を確認するステップ、を含む。
【０００７】
帯電の消散のための開示されるシステム及び方法の他の実施形態は、以下の詳細な説明、添付図面、及び添付の特許請求の範囲から明らかになるだろう。
【図面の簡単な説明】
【０００８】
【図１】図１は、開示される帯電消散システムの一実施形態の平面図である。
【図２】図２は、開示される帯電消散システムの環境図である。
【図３】図３は、開示される帯電消散システムの別の実施形態の平面図である。
【図４】図４は、開示される帯電消散アセンブリの分解側面図である。
【図５】図５は、開示される図３の帯電消散システムの側面断面図である。
【図６】図６は、開示される帯電消散システムの別の実施形態の側面図である。
【図７】図７は、帯電の消散のための開示される方法の一実施形態の流れ図である。
【図８】図８は、航空機の生産及び保守方法の流れ図である。
【図９】図９は、航空機のブロック図である。
【発明を実施するための形態】
【０００９】
後に続く詳細な説明は、添付の図面を参照することで、本開示の具体的な実施形態を示す。種々の構造及び動作を有する他の実施形態は、本開示の範囲から逸脱しない。類似の参照番号は、異なる図面の同じ要素または構成要素を指し示すことができる。
【００１０】
図１を参照すると、開示される帯電消散システムの一実施形態は、概して、符号１０によって指定され、導電性物品１２、及び導電性物品１２の表面に接続される静電放電アセンブリ１４を含む。静電放電アセンブリ１４は、導体１６、絶縁体１８、及び表示器２０を含む。
【００１１】
導体１６は、図２において図解されているように、人間の体２４（例えば、人間の手）の少なくとも一部分によって触れられるように構成される導体接触表面２２を含む。絶縁体１８は、導体１６及び導電性物品１２を互いに電気的に孤立させるために、導体１６及び導電性物品１２の間に配置される。
【００１２】
表示器２０は、人の上に生じる帯電の静電ポテンシャルに対する抵抗を提供するように構成される。表示器２０は、帯電の放電からの電流の大きさを限定して、その継続を延長し、それゆえ、帯電した人によって受け取られる任意の痛い又は不快な感覚（例えば、ショック）は、低減されるか又は消去される。表示器２０は、帯電の放電の視覚的な表示を提供する。
【００１３】
図２を参照すると、静電放電アセンブリ１４は、導電性物品１２の少なくとも１つの表面に対して、接続され、設置され、又はさもなければ取り付けられている（例えば、統合）。導電性物品１２は、任意の金属製の部材又は物体（例えば、接地された金属物体）である。静電放電アセンブリ１４は、導電性物品１２の表面の上の任意の位置において接続され得る。例えば、静電放電アセンブリ１４は、帯電を放電する必要がある人によってただちに使用することができるように、置かれる。
【００１４】
放電又は電流は、導体１６の導体表面２２から表示器２０を通って導電性物品１２の中へと流れる。それゆえ、導体１６に触れることによって、人間の体の上の帯電は、静電放電アセンブリ１４によって手２４又は指を通って消散され、そのことは、最初に導電性物品１２に触れた時の静電気による電気的なショックを、人が受けることを妨げる。
【００１５】
例示的な実施態様において、導電性物品１２は金属製の手すりであり、静電放電アセンブリ１４は、手すりの上側の表面及び／又は横側の表面の周りに置かれるなどのように、人が手すりに接近する時に、自然に人間の手によって触れられる又は握られる位置において、手すりの表面に接続される。別の例示的な実施態様において、導電性物品１２は金属製の作業台であり、静電放電アセンブリ１４は、作業台の上側の表面及び／又は横側の表面の縁の周りに置かれるなどのように、人が作業台に接近する時に、自然に人間の手によって触れられる又は握られる位置において、作業台の表面に接続される。さらに別の例示的な実施態様において、導電性物品１２は金属製のハンドルであり、静電放電アセンブリ１４は、ハンドルの横側の縁及び／又は前側の表面の周りに置かれるなどのように、人がハンドルに接近する時に、自然に人間の手によって触れられる又は握られる位置において、ハンドルの表面に接続される。
【００１６】
図３を参照すると、随意に、静電放電アセンブリ１４は、プロテクター２６を含む。プロテクター２６は、絶縁体１８、導体１６、及び表示器２０の一番外側（オーバートップ）の位置に置かれる。プロテクター２６は、絶縁体１８、導体１６、及び表示器２０を覆って保護するように構成され、及び／又は静電放電アセンブリ１４を導電性物品１２に接続するように構成される。プロテクター２６は、窓５６を画定する内装領域を通して形成されるカットアウト（切り欠き）を含む。窓５６は、導体１６の一部分を晒して、晒される導体表面２２を画定する。
【００１７】
図４を参照すると、導体１６は、金属素材などの、任意の適切な導体材料から形成される。例えば、導体１６は、導体層２８を画定する導電性（例えば、金属製の）基板である。具体的な非限定的実施例として、導体１６は、アルミニウムフォイルテープ、カッパーフォイルテープなどの、金属製のテープである。別の具体的な非限定的実施例として、導体１６は、金属の薄い片である。
【００１８】
絶縁体１８は、任意の絶縁材料から形成される。例えば、絶縁体１８は、絶縁層３０を画定する絶縁基板である。具体的な非限定的実施例として、絶縁体１８は、絶縁テープである。別の具体的な非限定的実施例として、絶縁体１８は、フォームテープ（ｆｏａｍ  ｔａｐｅ）である。さらに別の具体的な非限定的実施例として、絶縁体１８は、絶縁体の薄い片である。
【００１９】
プロテクター２６は、導体１６、絶縁体１８、及び表示器２０を覆うことができ、導電性物品１２の表面に接続されることができる、任意の適切な材料（例えば、可撓性材料）から形成される。例えば、プロテクター２６は、プロテクター層３２を画定する保護用の基板である。プロテクター２６はまた、導体１６及び絶縁体１８並びに表示器２０の外周縁を電気的に孤立させるために、絶縁材料から形成されることができる。具体的な非限定的実施例として、プロテクター２６は、ガムテープである。別の具体的な非限定的実施例として、プロテクター２６は、絶縁テープである。プロテクター２６は、透明であり、プロテクター２６によって覆われる表示器２０の目視観測を提供する。代替的に、プロテクター２６は、表示器２０を晒すように構成される（図示せぬ）点検用窓を画定する第２のカットアウトを含む。
【００２０】
表示器２０は、導体１６及び導電性物品１２の間に電気的に接続される表示灯４２を含む。表示灯４２は、帯電の放電によって生み出される高い電圧及び低い電流を短時間に加えることができる、任意のバルブ又はランプである。具体的な非限定的実施例として、表示灯４２は、静電バルブ（また、人力バルブとして言及される）である。別の具体的な非限定的実施例として、表示灯４２は、ネオン管（例えば、ネオンパイロット管）である。
【００２１】
表示器２０は、第１のターミナル４４及び第２のターミナル４６を含む。各々のターミナル４４、４６は、表示灯４２に電気的に接続される第１の端部４８、及び反対側の（例えば、自由端）第２の端部５０を含む。第１のターミナル４４の第２の端部５０は、導体１６と電気的に接触し、第２のターミナル４６の第２の端部５０は、導電性物品１２と電気的に接触し、それによって、帯電が人間の体２４（図２）から導体１６の導体表面２２と接触している接地された導電性物品１２に流れるための経路を提供する。
【００２２】
再び図４を参照すると、導体１６は、第１の主要面３４、及び反対側の第２の主要面３６を含む。導体１６の第１の主要面３４の少なくとも一部分は、導体表面２２を画定する。絶縁体１８は、第１の主要面３８、及び反対側の第２の主要面４０を含む。プロテクター２６は、第１の主要面５２、及び反対側の第２の主要面５４を含む。窓５６は、プロテクター２６の内装領域の少なくとも一部分を画定して、導体１６の領域を晒し、それゆえ、導体表面２２を画定する導体１６の第１の主要面３４の少なくとも一部分を晒す。
【００２３】
図４及び図５を参照すると、例示的な構造において、導体層２８、絶縁層３０、及びプロテクター層３２は、各々、積み重ねられて層を成すアセンブリ５８を形成する。絶縁体１８は、例えば、絶縁体１８の第２の主要面４０を導電性物品１２の表面に接続することによって、導電性物品１２に適用される。導体１６は、例えば、導体１６の第２の主要面３６を絶縁体１８の第１の主要面３８に接続することによって、絶縁体１８に適用され、それによって、絶縁体１８は、導体１６及び導電性物品１２の間の全体に置かれる。
【００２４】
第１のターミナル４４は、導体１６に電気的に接続される。例えば、第１のターミナル４４の第２の端部５０は、はんだ付け、ろう付けなどによって、導体１６に機械的に固定される。別の実施例として、第１のターミナル４４の第２の端部５０は、導体１６の第１の主要面３４に物理的に接触するように置かれる。随意のプロテクター２６は、例えば、プロテクター２６の第２の主要面５４を導体１６の第１の主要面３４に接続することによって、導体１６に適用され、それによって、第１のターミナル４４は、図５において示されるように、プロテクター２６及び導体１６の間に置かれる（例えば、サンドウィッチされる）。
【００２５】
第２のターミナル４６は、導電性物品１２に電気的に接続される。例えば、第２のターミナル４６は、接着剤などによって絶縁体に機械的に固定され、それによって、第２のターミナル４６の第２の端部５０は、絶縁体１８の適用において、少なくとも部分的に晒されて導電性物品１２と接触する。別の実施例として、第２のターミナル４６の第２の端部５０は、導電性物品１２の表面と物理的に接触するように置かれ、それによって、図５において示されるように、第２のターミナル４６は、絶縁体１８及び導電性物品１２の間に置かれる（例えば、サンドウィッチされる）。
【００２６】
図６を参照すると、開示されるシステム１０の別の例示的な構造において、導体１６、絶縁体１８、表示器２０、及び随意の（図６において示されぬ）プロテクター２６は、予め接続され又は予め組み立てられて層を成すアセンブリ５８を形成し、それによって、層を成すアセンブリ５８が導電性物品１２に接続され得る。
【００２７】
表示器２０は、ライトハウジング６０を含み得る。ライトハウジング６０は、層を成すアセンブリ５８の周縁に接続される。ライトハウジング６０は、表示灯４２を収容して保護し、導体１６及び導電性物品１２に対する接続のために、ターミナル４４、４６を配置して保護する。ライトハウジング６０は、図６において示されるように、プロテクター２６を含まない静電放電アセンブリ１４の構造のために有用である。
【００２８】
図４及び図５を参照すると、導体層２８、絶縁層３０、及びプロテクター層３２は、各々、任意の適切な技術によって接続され得る。例えば、絶縁体１８及び／又はプロテクター２６は、導電性物品１２に接続されて、絶縁体１８、導体１６、及びプロテクター２６は、接着剤による接合によって互いに接続される。具体的な非限定的実施例として、接着剤は、接触する主要面の間に適用される（例えば、絶縁体１８の第２の主要面４０及び導電性物品１２の表面の間、導体１６の第２の主要面３６及び絶縁体１８の第１の主要面３８の間など）。別の具体的な非限定的実施例として、接着剤は、導体１６、絶縁体１８、及びプロテクター２６の第２の主要面３６、４０、５４に予め適用され（例えば、接着テープ）、それによって、各々の層２８、３０、３２は、接触する直接的な隣接層に接続される。別の具体的な非限定的実施例として、導体１６、絶縁体１８、及び表示器２０は、プロテクター２６及び導電性物品１２の間に置かれ（例えば、サンドウィッチされ）、それによって、プロテクター２６の第２の主要面５４だけが、導電性物品１２の表面に接続される（例えば、接着剤で接合される）。
【００２９】
当業者は、導体１６、絶縁体１８、及びプロテクター２６の全体的なサイズ及び形状が、層を成すアセンブリ５８によって覆われている導電性物品１２又はその表面に応じて変化する、ということを理解するだろう。例えば、導体１６、絶縁体１８、及びプロテクター２６は、概して、長方形状、概して円筒形状、又は任意の他の幾何学的な形状を含み得る。
【００３０】
開示される構造の例示的な実施態様において、導体１６、絶縁体１８、及びプロテクター２６の表面面積は、実質的に等しい。開示される構造の別の例示的な実施態様において、導体１６、絶縁体１８、及びプロテクター２６の表面面積は、実質的に異なっている。
【００３１】
再び図１を参照すると、絶縁体１８は、導体１６の表面面積よりも大きい表面面積を有しており、それによって、絶縁体１８の周縁は、導体１６、の周縁を超えて延伸する。例えば、絶縁体１８の表面面積は、導体１６の表面面積よりも少なくとも５パーセント大きい。別の実施例として、絶縁体１８の表面面積は、導体１６の表面面積よりも少なくとも１０パーセント大きい。別の実施例として、絶縁体１８の表面面積は、導体１６の表面面積よりも少なくとも２０パーセント大きい。別の実施例として、絶縁体１８の表面面積は、導体１６の表面面積よりも少なくとも３０パーセント大きい。別の実施例として、絶縁体１８の表面面積は、導体１６の表面面積よりも少なくとも５０パーセント大きい。
【００３２】
再び図３を参照すると、プロテクター２６は、導体１６及び絶縁体１８の表面面積よりも大きい表面面積を有しており、それによって、プロテクター２６の周縁は、導体１６の周縁を超えて延伸し、随意に表示器２０を覆う。例えば、プロテクター２６の表面面積は、絶縁体１８の表面面積よりも少なくとも１０パーセント大きい。別の実施例として、プロテクター２６の表面面積は、絶縁体の表面面積よりも少なくとも２０パーセント大きい。別の実施例として、プロテクター２６の表面面積は、絶縁体の表面面積よりも少なくとも５０パーセント大きい。別の実施例として、プロテクター２６の表面面積は、絶縁体の表面面積よりも少なくとも７５パーセント大きい。
【００３３】
窓５６は、導体接触表面２２を画定する導体１６の第１の主要面３４の実質的な領域を晒すように、適切にサイズが決められる。例えば、窓５６は、導体１６の第１の主要面３４の少なくとも５０パーセントを晒すように、サイズが決められる。別の実施例として、窓５６は、導体１６の第１の主要面３４の少なくとも６０パーセントを晒すように、サイズが決められる。別の実施例として、窓５６は、導体１６の第１の主要面３４の少なくとも７５パーセントを晒すように、サイズが決められる。
【００３４】
今度は図７を参照すると、概して符号１００によって指定される、帯電消散のための方法がまた開示される。ブロック１０２において示されるように、方法１００は、導電性物品１２（図２）を提供するステップによって始まる。導電性物品１２は、手すり、作業台などの、任意の金属製の物体、特に接地される金属製の物体を含み、それらは、人に触れられた場合、人の体２４（図２）の上に生じる静電気の急激な放電のために、電気的なショックを与え得る。
【００３５】
ブロック１０４において示されるように、静電放電アセンブリ１４（図２）が、提供される。図４において図解されているように、静電放電アセンブリ１４は、導体層２８を画定する導体１６、絶縁層３０を画定する絶縁体１８、表示器２０、及び随意にプロテクター層３２を画定するプロテクター２６を含む。導体層２８、絶縁層３０、及びプロテクター層３２は、層を成すアセンブリ５８を形成する。
【００３６】
ブロック１０６において示されるように、静電放電アセンブリ１４は、導電性物品１２に設置されて（例えば、接続されて）、帯電消散システム１０を形成する。図５において示されるように、静電放電アセンブリ１４は、表示器２０の第１のターミナル４４が導体１６と電気的に接触するように、かつ第２のターミナル４６が導電性物品１２の表面と電気的に接触するように設置される。第１のターミナル４４及び第２のターミナル４６は、絶縁体１８によって電気的に孤立させられている。
【００３７】
ブロック１０８において示されるように、帯電が生じている人間の体２４（図２）の一部分は、帯電消散システム１０に接近している。例えば、人間の手又は指は、図２に示されるように、導体１６の導体表面２２に非常に近づくか、又は触れている。
【００３８】
ブロック１１０において示されるように、帯電は、人間の体２４から帯電消散システム１０に放電される（例えば、人間の体２４から静電放電アセンブリ１４を通じて導電性物品１２へ）（図２）。静電気は、（１）人間の体２４から接触（又は近似的に接触）している導体１６へ、（２）導体１６から（例えば、第１のターミナル４４を介して）表示器２０へ、（３）表示器２０を通って（例えば、第２のターミナル４６を介して）導電性物品１２へ、流れる。
【００３９】
ブロック１１２において示されるように、帯電は、表示器２０に電圧を加え、表示灯４２（図５）を光らせる。表示灯４２は、帯電の電気的なポテンシャルに対して十分な抵抗を提供し、帯電を消散させる。
【００４０】
ブロック１１４において示されるように、人は、表示灯４２のイルミネーションを視覚的に観測することによって、任意の帯電が完全に放電されたことを確認する。例えば、表示灯４２が光っている場合、それは、静電放電アセンブリ１４が作動して帯電を消散させていることを意味する。表示灯４２のイルミネーションが止んだ場合、それは、静電放電が完了して、人が体の上の静電気のために電気的なショックを受けることなしに、導電性物品１２に触れることができることを意味する。
【００４１】
したがって、帯電の消散のための開示されるシステム及び方法は、人が個人的な帯電防止装置を装着する必要なしに、人の体から帯電を放電させるためにただちに利用可能である。静電気から発生する任意の帯電は、人の体（例えば、手又は指）の代わりに、導体を通じて出て行くことになる。これは、体を離れる電気の放電（例えば、静電気アーク）のために痛みのショックを感じることなしに、体の中の静電気を効果的に消去する。付加的に、表示器は、任意の帯電が体から消散したという視覚的な表示を提供し、それゆえ、人は開示されたシステムを利用するだろうという可能性がより高まる。
【００４２】
本開示の実施例は、図８に示した航空機の製造及び保守方法１０００、及び図９に示した航空機１００２の文脈において説明することができる。生産前の段階では、例示的な方法１０００は、航空機１００２の仕様及び設計１００４と、材料の調達１００６とを含むことができる。製造段階では、航空機１００２の構成要素及びサブアセンブリの製造１００８と、システムインテグレーション１０１０とが行われる。その後、航空機１００２は、認可及び納品１０１２を経て運航１０１４に供される。顧客により運航される間に、航空機１００２は、改造、再構成、改修なども含む定期的な整備及び保守１０１６を受ける。
【００４３】
方法１０００の各プロセスは、システムインテグレーター、第三者、及び／又はオペレーター（例えば顧客）によって実施又は実行される。本明細書の目的のために、システムインテグレーターは、限定しないが、任意の数の航空機製造者、及び主要システムの下請業者を含むことができ、第三者は、限定しないが、任意の数のベンダー、下請業者、及び供給業者を含むことができ、オペレーターは、航空会社、リース会社、軍事団体、サービス機関などであり得る。
【００４４】
図９に示されるように、例示的な方法１０００によって生産された航空機１００２は、複数のシステム１０２０及び内装１０２２を有する機体１０１８を含む。高レベルのシステム１０２０の実施例には、推進システム１０２４、電気システム１０２６、油圧システム１０２８、及び環境システム１０３０のうちの１以上が含まれる。任意の数の他のシステムが含まれてもよい。航空宇宙産業の例を示したが、本発明の原理は、自動車産業などの他の産業にも適用し得る。
【００４５】
本明細書の中において具現化された装置と方法は、生産及び保守方法１０００の任意の１以上の段階で採用することができる。例えば、製造プロセス１００８に対応する構成要素又はサブアセンブリは、航空機１００２の運航中に生産される構成要素又はサブアセンブリに類似の方法で作製又は製造される。また、１以上の装置の実施例、方法の実施例、又はそれらの組み合わせは、例えば、航空機１００２の組み立てを実質的に効率化するか、又は航空機１００２のコストを削減することによって、生産段階１００８及び１０１０の間に利用することができる。同様に、装置の実施例、方法の実施例、又はそれらの組み合わせのうちの１以上を、航空機１００２の運航中に、例えば限定しないが、整備及び保守１０１６に利用することができる。
【００４６】
帯電を消散するための開示されたシステム及び方法の様々な実施形態が示され説明されてきたが、本明細書を読めば当業者は、変形例を思いつくだろう。本出願は、そのような変形例も含んでおり、請求の範囲によってのみ限定される。さらに、本開示は、以下の条項による実施形態を含む。
【００４７】
条項１４
帯電の消散のためのシステムであって、
導電性物品と、
前記導電性物品に接続される静電放電アセンブリとを備え、前記静電放電アセンブリは、
電気的な導体材料を備える導体と、
電気的な絶縁材料を備える絶縁体とを備え、前記絶縁体は前記導体及び前記導電性物品の間に置かれ、
前記導体及び前記導電性物品の間に電気的に接続される表示器を備え、
前記導体の非常に近くに運ばれる帯電は、前記帯電が前記表示器を通じて放電される原因となり、前記表示器は、前記帯電の前記放電を視覚的に表示するように構成されている、システム。
【００４８】
条項１５
前記導体のオーバートップに接続されるプロテクターを備え、前記プロテクターは、前記導体の少なくとも一部分を晒すように構成される窓を備える、条項１４に記載のシステム。
【００４９】
条項１６
前記導体、前記絶縁体、及び前記プロテクターは、層を成すアセンブリを形成する、条項１５に記載のシステム。
【００５０】
条項１７
前記表示器は、表示灯を備える、条項１４に記載のシステム。
【００５１】
条項１８
前記表示灯は、ネオン電球を備える、条項１７に記載のシステム。
【００５２】
条項１９
前記表示器は、
前記表示灯に電気的に接続される第１の端部、及び前記導体に電気的に接触する第２の端部を備える、第１のターミナルと、
前記表示灯に電気的に接続される第１の端部、及び前記導電性物品に電気的に接触する第２の端部を備える、第２のターミナルとを備える、条項１７に記載のシステム。
【符号の説明】
【００５３】
１０  システム
１２  導電性物品
１４  静電放電アセンブリ
１６  導体
１８  絶縁体
２０  表示器
２２  導体表面
２４  人間の体
２６  プロテクター
２８  導体層
３０  絶縁層
３２  プロテクター層
３４  第１の主要面
３６  第２の主要面
３８  第１の主要面
４０  第２の主要面
４２  表示灯
４４  第１のターミナル
４６  第２のターミナル
４８  第１の端部
５０  第２の端部
５２  第１の主要面
５４  第２の主要面
５６  窓
５８  層を成すアセンブリ
６０  ライトハウジング
１００  方法
１０２  ブロック
１０４  ブロック
１０６  ブロック
１０８  ブロック
１１０  ブロック
１１２  ブロック
１１４  ブロック
１０００  方法
１００２  航空機
１００４  ブロック
１００６  ブロック
１００８  ブロック
１０１０  ブロック
１０１２  ブロック
１０１４  ブロック
１０１６  ブロック
１０１８  機体
１０２０  システム
１０２２  内装
１０２４  推進システム
１０２６  電気システム
１０２８  油圧システム
１０３０  環境システム
【図１】
2015028938.tif 000003
【図２】
2015028938.tif 000004
【図３】
2015028938.tif 000005
【図４】
2015028938.tif 000006
【図５】
2015028938.tif 000007
【図６】
2015028938.tif 000008
【図７】
2015028938.tif 000009
【図８】
2015028938.tif 000010
【図９】
2015028938.tif 000011
【外国語明細書】
2015028938000001.pdf
2015028938000002.pdf
2015028938000003.pdf
2015028938000004.pdf